【手続補正書】
【提出日】令和1年10月25日(2019.10.25)
【手続補正１】
【補正対象書類名】特許請求の範囲
【補正対象項目名】全文
【補正方法】変更
【補正の内容】
【特許請求の範囲】
【請求項１】
ビデオデータの記憶のための方法であって、
ファイル生成デバイスによって、前記ビデオデータの符号化ピクチャの表現を形成するビットのシーケンスを含むビットストリームを受信すること、前記ビデオデータの前記ピクチャは、現在ピクチャを含み、前記現在ピクチャは、複数のタイルに区分され、前記複数のタイルの各それぞれのタイルは、それぞれの矩形領域である、と、
前記ファイル生成デバイスによって、ファイル中にネットワークアブストラクションレイヤ（ＮＡＬ）ユニットマップエントリボックスを生成すること、前記ＮＡＬユニットマップエントリボックスは、前記ビットストリームのＮＡＬユニットをタイルセットを関連付け、前記タイルセットは、前記現在ピクチャが区分された前記複数のタイルのうちの２つまたはそれ以上のタイルを含み、前記タイルセット中の前記タイルによってカバーされた前記現在ピクチャの領域は、形状が矩形でない、と、
前記ファイル生成デバイスによって、前記ファイル中にタイルセットグループエントリを生成することと
を備え、
前記タイルセットグループエントリは、前記タイルセットを識別するグループ識別子シンタックス要素を含み、
前記タイルセットグループエントリは、水平オフセットシンタックス要素と、垂直オフセットシンタックス要素と、幅シンタックス要素と、高さシンタックス要素とを含み、
前記水平オフセットシンタックス要素は、前記タイルセット中の前記タイルをカバーする最小矩形領域の左上ピクセルの水平オフセットを指定し、
前記垂直オフセットシンタックス要素は、前記タイルセット中の前記タイルをカバーする前記最小矩形領域の前記左上ピクセルの垂直オフセットを指定し、
前記幅シンタックス要素は、前記タイルセット中の前記タイルをカバーする前記最小矩形領域の幅を指定し、
前記高さシンタックス要素は、前記タイルセット中の前記タイルをカバーする前記最小矩形領域の高さを指定する、
方法。
【請求項２】
前記タイルセットは、レイヤ固有範囲を有する、
請求項１に記載の方法。
【請求項３】
前記タイルセットグループエントリを生成することは、
前記タイルセットグループエントリ中に、前記タイルセットが属するレイヤ内の依存性を記述する依存性情報を含めることを備える、
請求項２に記載の方法。
【請求項４】
前記タイルセットグループエントリ中に前記依存性情報を含めることは、前記タイルセットグループエントリ中に、前記タイルセットと、前記タイルセットが属する前記レイヤの前記現在ピクチャ中のおよび参照ピクチャ中の他のタイルセットとの間のコーディング依存性を指定する特定のシンタックス要素を含めることを備え、
前記方法は、前記ファイル中のレイヤ情報サンプルグループまたは前記ファイル中の動作点情報サンプルグループ中に、レイヤ間依存性を示すことをさらに備える、
請求項３に記載の方法。
【請求項５】
前記特定のシンタックス要素は、フラグであり、前記フラグは、ちょうど２つの状態を有し、前記フラグの第１の状態は、時間依存性がないことを示し、前記フラグの第２の状態は、時間依存性があることもないこともあることを示す、
請求項４に記載の方法。
【請求項６】
前記ＮＡＬユニットマップエントリボックスは、第１のＮＡＬユニットマップエントリボックスであり、前記方法は、
前記ファイル中に第２のＮＡＬユニットマップエントリボックスを生成することをさらに備え、前記第２のＮＡＬユニットマップエントリボックスは、グループ識別子シンタックス要素を含み、前記第２のＮＡＬユニットマップエントリボックスの前記グループ識別子シンタックス要素は、ＮＡＬユニットがすべてのタイルセットに関連付けられることを示す値を有する、
請求項１に記載の方法。
【請求項７】
符号化ビデオデータを記憶するファイルを処理する方法であって、
ファイル処理デバイスによって、ファイル中のネットワークアブストラクションレイヤ（ＮＡＬ）ユニットマップエントリボックスを取得すること、前記ＮＡＬユニットマップエントリボックスは、ビットストリームのＮＡＬユニットをタイルセットに関連付け、前記ビットストリームは、前記ビデオデータの符号化ピクチャの表現を形成するビットのシーケンスを含み、前記ビデオデータの前記ピクチャは、現在ピクチャを含み、前記現在ピクチャは、複数のタイルに区分され、前記複数のタイルの各それぞれのタイルは、それぞれの矩形領域であり、前記タイルセットは、前記現在ピクチャが区分された前記複数のタイルのうちの２つまたはそれ以上のタイルを含み、前記タイルセット中の前記タイルによってカバーされた前記現在ピクチャの領域は、形状が矩形でない、と、
前記ファイル処理デバイスによって、前記ファイル中のタイルセットグループエントリを取得すること、
前記タイルセットグループエントリは、前記タイルセットを識別するグループ識別子シンタックス要素を含み、
前記タイルセットグループエントリは、水平オフセットシンタックス要素と、垂直オフセットシンタックス要素と、幅シンタックス要素と、高さシンタックス要素とを含み、
前記水平オフセットシンタックス要素は、前記タイルセット中の前記タイルをカバーする最小矩形領域の左上ピクセルの水平オフセットを指定し、
前記垂直オフセットシンタックス要素は、前記タイルセット中の前記タイルをカバーする前記最小矩形領域の前記左上ピクセルの垂直オフセットを指定し、
前記幅シンタックス要素は、前記タイルセット中の前記タイルをカバーする前記最小矩形領域の幅を指定し、
前記高さシンタックス要素は、前記タイルセット中の前記タイルをカバーする前記最小矩形領域の高さを指定する、と、
前記水平オフセットシンタックス要素と、前記垂直オフセットシンタックス要素と、前記幅シンタックス要素と、前記高さシンタックス要素とに基づいて、前記タイルセットを処理することと
を備える、方法。
【請求項８】
前記タイルセットを処理することは、
前記ファイルから前記タイルセットの前記タイルを抽出することと、
前記抽出されたタイルを送信することと
を備える、請求項７に記載の方法。
【請求項９】
前記タイルセットは、レイヤ固有範囲を有する、
請求項７に記載の方法。
【請求項１０】
前記タイルセットグループエントリを取得することは、前記タイルセットグループエントリ内から、前記タイルセットが属するレイヤ内の依存性を記述する依存性情報を取得することを備え、
前記タイルセットを処理することは、前記水平オフセットシンタックス要素と、前記垂直オフセットシンタックス要素と、前記幅シンタックス要素と、前記高さシンタックス要素と、前記依存性情報とに基づいて、前記タイルセットを処理することを備える、
請求項９に記載の方法。
【請求項１１】
前記タイルセットグループエントリ中に前記依存性情報を取得することは、前記タイルセットグループエントリ内から、前記タイルセットと、前記タイルセットが属する前記レイヤの前記現在ピクチャ中のおよび参照ピクチャ中の他のタイルセットとの間のコーディング依存性を指定する特定のシンタックス要素を取得することを備え、
前記方法は、前記ファイル中のレイヤ情報サンプルグループまたは前記ファイル中の動作点情報サンプルグループに基づいて、レイヤ間依存性を決定することをさらに備え、
前記タイルセットを処理することは、前記水平オフセットシンタックス要素と、前記垂直オフセットシンタックス要素と、前記幅シンタックス要素と、前記高さシンタックス要素と、前記レイヤ間依存性とに基づいて、前記タイルセットを処理することを備える、
請求項１０に記載の方法。
【請求項１２】
前記特定のシンタックス要素は、フラグであり、前記フラグは、ちょうど２つの状態を有し、前記フラグの第１の状態は、時間依存性がないことを示し、前記フラグの第２の状態は、時間依存性があることもないこともあることを示す、
請求項１１に記載の方法。
【請求項１３】
前記ＮＡＬユニットマップエントリボックスが第１のＮＡＬユニットマップエントリボックスであり、前記方法は、
前記ファイルから、第２のＮＡＬユニットマップエントリボックスを取得すること、前記第２のＮＡＬユニットマップエントリボックスは、グループ識別子シンタックス要素を含み、前記第２のＮＡＬユニットマップエントリボックスの前記グループ識別子シンタックス要素は、ＮＡＬユニットがすべてのタイルセットに関連付けられることを示す値を有する、と、
前記第２のＮＡＬユニットマップエントリボックスの前記グループ識別子シンタックス要素が、前記ＮＡＬユニットがすべてのタイルセットに関連付けられることを示す前記値を有することに基づいて、
前記ファイルから前記ＮＡＬユニットを抽出することと、
前記ＮＡＬユニットを送信することと
をさらに備える、請求項７に記載の方法。
【請求項１４】
ビデオデータを記憶するためのファイルを生成するためのデバイスであって、前記デバイスは、
ビデオコンテンツの記憶のためのファイルを記憶するように構成されたメモリと、
回路において実装される１つまたは複数のプロセッサと
を備え、前記１つまたは複数のプロセッサは、
前記ビデオデータの符号化ピクチャの表現を形成するビットのシーケンスを含むビットストリームを受信すること、前記ビデオデータの前記ピクチャは、現在ピクチャを含み、前記現在ピクチャは、複数のタイルに区分され、前記複数のタイルの各それぞれのタイルは、それぞれの矩形領域である、と、
前記ファイル中にネットワークアブストラクションレイヤ（ＮＡＬ）ユニットマップエントリボックスを生成すること、前記ＮＡＬユニットマップエントリボックスは、前記ビットストリームのＮＡＬユニットをタイルセットに関連付け、前記タイルセットは、前記現在ピクチャが区分された前記複数のタイルのうちの２つまたはそれ以上のタイルを含み、前記タイルセット中の前記タイルによってカバーされた前記現在ピクチャの領域は形状は、矩形でない、と、
前記ファイル中にタイルセットグループエントリを生成することと
を行うように構成され、
前記タイルセットグループエントリは、前記タイルセットを識別するグループ識別子シンタックス要素を含み、
前記タイルセットグループエントリは、水平オフセットシンタックス要素と、垂直オフセットシンタックス要素と、幅シンタックス要素と、高さシンタックス要素とを含み、
前記水平オフセットシンタックス要素は、前記タイルセット中の前記タイルをカバーする最小矩形領域の左上ピクセルの水平オフセットを指定し、
前記垂直オフセットシンタックス要素は、前記タイルセット中の前記タイルをカバーする前記最小矩形領域の前記左上ピクセルの垂直オフセットを指定し、
前記幅シンタックス要素は、前記タイルセット中の前記タイルをカバーする前記最小矩形領域の幅を指定し、
前記高さシンタックス要素は、前記タイルセット中の前記タイルをカバーする前記最小矩形領域の高さを指定する、
デバイス。
【請求項１５】
前記タイルセットは、レイヤ固有範囲を有する、
請求項１４に記載のデバイス。
【請求項１６】
前記１つまたは複数のプロセッサは、前記タイルセットグループエントリを生成することの一部として、前記１つまたは複数のプロセッサが、
前記タイルセットグループエントリ中に、前記タイルセットが属するレイヤ内の依存性を記述する依存性情報を含めるように構成された、
請求項１５に記載のデバイス。
【請求項１７】
前記１つまたは複数のプロセッサは、前記タイルセットグループエントリ中に前記依存性情報を含めることの一部として、前記１つまたは複数のプロセッサが、前記タイルセットグループエントリ中に、前記タイルセットと、前記タイルセットが属する前記レイヤの前記現在ピクチャ中のおよび参照ピクチャ中の他のタイルセットとの間のコーディング依存性を指定する特定のシンタックス要素を含めるように構成され、
前記１つまたは複数のプロセッサは、前記ファイル中のレイヤ情報サンプルグループまたは前記ファイル中の動作点情報サンプルグループ中に、レイヤ間依存性を示すようにさらに構成された、
請求項１６に記載のデバイス。
【請求項１８】
前記特定のシンタックス要素は、フラグであり、前記フラグは、ちょうど２つの状態を有し、前記フラグの第１の状態は、時間依存性がないことを示し、前記フラグの第２の状態は、時間依存性があることもないこともあることを示す、
請求項１７に記載のデバイス。
【請求項１９】
前記ＮＡＬユニットマップエントリボックスは、第１のＮＡＬユニットマップエントリボックスであり、前記１つまたは複数のプロセッサは、
前記ファイル中に第２のＮＡＬユニットマップエントリボックスを生成するようにさらに構成され、前記第２のＮＡＬユニットマップエントリボックスは、グループ識別子シンタックス要素を含み、前記第２のＮＡＬユニットマップエントリボックスの前記グループ識別子シンタックス要素は、ＮＡＬユニットがすべてのタイルセットに関連付けられることを示す値を有する、
請求項１４に記載のデバイス。
【請求項２０】
符号化ビデオデータを記憶するファイルを処理するためのデバイスであって、
ビデオコンテンツの記憶のためのファイルを記憶するように構成されたメモリと、
回路において実装される１つまたは複数のプロセッサと
を備え、前記１つまたは複数のプロセッサは、
ファイル中のネットワークアブストラクションレイヤ（ＮＡＬ）ユニットマップエントリボックスを取得すること、前記ＮＡＬユニットマップエントリボックスは、ビットストリームのＮＡＬユニットをタイルセットに関連付け、前記ビットストリームは、前記ビデオデータの符号化ピクチャの表現を形成するビットのシーケンスを含み、前記ビデオデータの前記ピクチャは、現在ピクチャを含み、前記現在ピクチャは、複数のタイルに区分され、前記複数のタイルの各それぞれのタイルは、それぞれの矩形領域であり、前記タイルセットは、前記現在ピクチャが区分された前記複数のタイルのうちの２つまたはそれ以上のタイルを含み、前記タイルセット中の前記タイルによってカバーされた前記現在ピクチャの領域は形状は、矩形でない、と、
前記ファイル中のタイルセットグループエントリを取得すること、
前記タイルセットグループエントリは、前記タイルセットを識別するグループ識別子シンタックス要素を含み、
前記タイルセットグループエントリは、水平オフセットシンタックス要素と、垂直オフセットシンタックス要素と、幅シンタックス要素と、高さシンタックス要素とを含み、
前記水平オフセットシンタックス要素は、前記タイルセット中の前記タイルをカバーする最小矩形領域の左上ピクセルの水平オフセットを指定し、
前記垂直オフセットシンタックス要素は、前記タイルセット中の前記タイルをカバーする前記最小矩形領域の前記左上ピクセルの垂直オフセットを指定し、
前記幅シンタックス要素は、前記タイルセット中の前記タイルをカバーする前記最小矩形領域の幅を指定し、
前記高さシンタックス要素は、前記タイルセット中の前記タイルをカバーする前記最小矩形領域の高さを指定する、と、
前記水平オフセットシンタックス要素と、前記垂直オフセットシンタックス要素と、前記幅シンタックス要素と、前記高さシンタックス要素とに基づいて、前記タイルセットを処理することと
を行うように構成された、デバイス。
【請求項２１】
前記１つまたは複数のプロセッサは、前記タイルセットを処理することの一部として、前記１つまたは複数のプロセッサが、
前記ファイルから前記タイルセットの前記タイルを抽出することと、
前記抽出されたタイルを送信することと
を行うように構成された、請求項２０に記載のデバイス。
【請求項２２】
前記タイルセットは、レイヤ固有範囲を有する、
請求項２１に記載のデバイス。
【請求項２３】
前記１つまたは複数のプロセッサは、前記タイルセットグループエントリを取得することの一部として、前記１つまたは複数のプロセッサが、前記タイルセットグループエントリ内から、前記タイルセットが属するレイヤ内の依存性を記述する依存性情報を取得するように構成され、
前記１つまたは複数のプロセッサは、前記タイルセットを処理することの一部として、前記１つまたは複数のプロセッサが、前記水平オフセットシンタックス要素と、前記垂直オフセットシンタックス要素と、前記幅シンタックス要素と、前記高さシンタックス要素と、前記依存性情報とに基づいて、前記タイルセットを処理するように構成された、
請求項２２に記載のデバイス。
【請求項２４】
前記１つまたは複数のプロセッサは、前記タイルセットグループエントリ中の前記依存性情報を取得することの一部として、前記１つまたは複数のプロセッサが、前記タイルセットグループエントリ内から、前記タイルセットと、前記タイルセットが属する前記レイヤの前記現在ピクチャ中のおよび参照ピクチャ中の他のタイルセットとの間のコーディング依存性を指定する特定のシンタックス要素を取得するように構成され、
前記１つまたは複数のプロセッサは、前記ファイル中のレイヤ情報サンプルグループまたは前記ファイル中の動作点情報サンプルグループに基づいて、レイヤ間依存性を決定するようにさらに構成され、
前記１つまたは複数のプロセッサは、前記タイルセットを処理することの一部として、前記１つまたは複数のプロセッサは、前記水平オフセットシンタックス要素と、前記垂直オフセットシンタックス要素と、前記幅シンタックス要素と、前記高さシンタックス要素と、前記レイヤ間依存性とに基づいて、前記タイルセットを処理するように構成された、
請求項２３に記載のデバイス。
【請求項２５】
前記特定のシンタックス要素は、フラグであり、前記フラグは、ちょうど２つの状態を有し、前記フラグの第１の状態は、時間依存性がないことを示し、前記フラグの第２の状態は、時間依存性があることもないこともあることを示す、
請求項２４に記載のデバイス。
【請求項２６】
前記タイルセットグループエントリは、第１のタイルセットグループエントリであり、前記１つまたは複数のプロセッサは、
前記ファイルから、第２のＮＡＬユニットマップエントリボックスを取得すること、前記第２のＮＡＬユニットマップエントリボックスは、グループ識別子シンタックス要素を含み、前記第２のＮＡＬユニットマップエントリボックスの前記グループ識別子シンタックス要素は、ＮＡＬユニットがすべてのタイルセットに関連付けられることを示す値を有する、と、
前記第２のＮＡＬユニットマップエントリボックスの前記グループ識別子シンタックス要素が、前記ＮＡＬユニットがすべてのタイルセットに関連付けられることを示す前記値を有することに基づいて、
前記ファイルから前記ＮＡＬユニットを抽出することと、
前記ＮＡＬユニットを送信することと
を行うようにさらに構成された、請求項２０に記載のデバイス。
【請求項２７】
記憶ビデオデータのためのファイルを生成するためのデバイスであって、
前記ビデオデータの符号化ピクチャの表現を形成するビットのシーケンスを含むビットストリームを受信するための手段、前記ビデオデータの前記ピクチャは、現在ピクチャを含み、前記現在ピクチャは、複数のタイルに区分され、前記複数のタイルの各それぞれのタイルは、それぞれの矩形領域である、と、
ファイル中にネットワークアブストラクションレイヤ（ＮＡＬ）ユニットマップエントリボックスを生成するための手段、前記ＮＡＬユニットマップエントリボックスは、前記ビットストリームのＮＡＬユニットをタイルセットに関連付け、前記タイルセットは、前記現在ピクチャが区分された前記複数のタイルのうちの２つまたはそれ以上のタイルを含み、前記タイルセット中の前記タイルによってカバーされた前記現在ピクチャの領域は、形状が矩形でない、と、
前記ファイル中にタイルセットグループエントリを生成するための手段と
を備え、
前記タイルセットグループエントリは、前記タイルセットを識別するグループ識別子シンタックス要素を含み、
前記タイルセットグループエントリは、水平オフセットシンタックス要素と、垂直オフセットシンタックス要素と、幅シンタックス要素と、高さシンタックス要素とを含み、
前記水平オフセットシンタックス要素は、前記タイルセット中の前記タイルをカバーする最小矩形領域の左上ピクセルの水平オフセットを指定し、
前記垂直オフセットシンタックス要素は、前記タイルセット中の前記タイルをカバーする前記最小矩形領域の前記左上ピクセルの垂直オフセットを指定し、
前記幅シンタックス要素は、前記タイルセット中の前記タイルをカバーする前記最小矩形領域の幅を指定し、
前記高さシンタックス要素は、前記タイルセット中の前記タイルをカバーする前記最小矩形領域の高さを指定する、
を備える、デバイス。
【請求項２８】
符号化ビデオデータを記憶するファイルを処理するためのデバイスであって、前記デバイスは、
ファイル中のネットワークアブストラクションレイヤ（ＮＡＬ）ユニットマップエントリボックスを取得するための手段、前記ＮＡＬユニットマップエントリボックスは、ビットストリームのＮＡＬユニットをタイルセットに関連付け、前記ビットストリームは、前記ビデオデータの符号化ピクチャの表現を形成するビットのシーケンスを含み、前記ビデオデータの前記ピクチャは、現在ピクチャを含み、前記現在ピクチャは、複数のタイルに区分され、前記複数のタイルの各それぞれのタイルは、それぞれの矩形領域であり、前記タイルセットは、前記現在ピクチャが区分された前記複数のタイルのうちの２つまたはそれ以上のタイルを含み、前記タイルセット中の前記タイルによってカバーされた前記現在ピクチャの領域は形・状が矩形でない、と、
前記ファイル中のタイルセットグループエントリを取得するための手段、
前記タイルセットグループエントリは、前記タイルセットを識別するグループ識別子シンタックス要素を含み、
前記タイルセットグループエントリは、水平オフセットシンタックス要素と、垂直オフセットシンタックス要素と、幅シンタックス要素と、高さシンタックス要素とを含み、
前記水平オフセットシンタックス要素は、前記タイルセット中の前記タイルをカバーする最小矩形領域の左上ピクセルの水平オフセットを指定し、
前記垂直オフセットシンタックス要素は、前記タイルセット中の前記タイルをカバーする前記最小矩形領域の前記左上ピクセルの垂直オフセットを指定し、
前記幅シンタックス要素は、前記タイルセット中の前記タイルをカバーする前記最小矩形領域の幅を指定し、
前記高さシンタックス要素は、前記タイルセット中の前記タイルをカバーする前記最小矩形領域の高さを指定する、と、
前記水平オフセットシンタックス要素と、前記垂直オフセットシンタックス要素と、前記幅シンタックス要素と、前記高さシンタックス要素とに基づいて、前記タイルセットを処理するための手段と
を備える、デバイス。
【請求項２９】
実行されたとき、デバイスを、
前記ビデオデータの符号化ピクチャの表現を形成するビットのシーケンスを含むビットストリームを受信すること、前記ビデオデータの前記ピクチャは、現在ピクチャを含み、前記現在ピクチャは、複数のタイルに区分され、前記複数のタイルの各それぞれのタイルは、それぞれの矩形領域である、と、
ファイル中にネットワークアブストラクションレイヤ（ＮＡＬ）ユニットマップエントリボックスを生成すること、前記ＮＡＬユニットマップエントリボックスは、前記ビットストリームのＮＡＬユニットをタイルセットに関連付け、前記タイルセットは、前記現在ピクチャが区分された前記複数のタイルのうちの２つまたはそれ以上のタイルを含み、前記タイルセット中の前記タイルによってカバーされた前記現在ピクチャの領域は、形状が矩形でない、と、
前記ファイル中にタイルセットグループエントリを生成することと、
を行うように構成され、
前記タイルセットグループエントリは、前記タイルセットを識別するグループ識別子シンタックス要素を含み、
前記タイルセットグループエントリは、水平オフセットシンタックス要素と、垂直オフセットシンタックス要素と、幅シンタックス要素と、高さシンタックス要素とを含み、
前記水平オフセットシンタックス要素は、前記タイルセット中の前記タイルをカバーする最小矩形領域の左上ピクセルの水平オフセットを指定し、
前記垂直オフセットシンタックス要素は、前記タイルセット中の前記タイルをカバーする前記最小矩形領域の前記左上ピクセルの垂直オフセットを指定し、
前記幅シンタックス要素は、前記タイルセット中の前記タイルをカバーする前記最小矩形領域の幅を指定し、
前記高さシンタックス要素は、前記タイルセット中の前記タイルをカバーする前記最小矩形領域の高さを指定する、
命令を記憶した非一時的コンピュータ可読データ記憶媒体。
【請求項３０】
実行されたとき、デバイスを、
ファイル処理デバイスによって、ファイル中のネットワークアブストラクションレイヤ（ＮＡＬ）ユニットマップエントリボックスを取得すること、前記ＮＡＬユニットマップエントリボックスがビットストリームのＮＡＬユニットをタイルセットに関連付け、前記ビットストリームは、前記ビデオデータの符号化ピクチャの表現を形成するビットのシーケンスを含み、前記ビデオデータの前記ピクチャは、現在ピクチャを含み、前記現在ピクチャは、複数のタイルに区分され、前記複数のタイルの各それぞれのタイルは、それぞれの矩形領域であり、前記タイルセットは、前記現在ピクチャが区分された前記複数のタイルのうちの２つまたはそれ以上のタイルを含み、前記タイルセット中の前記タイルによってカバーされた前記現在ピクチャの領域は、形状が矩形でない、と、
前記ファイル処理デバイスによって、前記ファイル中のタイルセットグループエントリを取得すること、
前記タイルセットグループエントリは、前記タイルセットを識別するグループ識別子シンタックス要素を含み、
前記タイルセットグループエントリは、水平オフセットシンタックス要素と、垂直オフセットシンタックス要素と、幅シンタックス要素と、高さシンタックス要素とを含み、
前記水平オフセットシンタックス要素は、前記タイルセット中の前記タイルをカバーする最小矩形領域の左上ピクセルの水平オフセットを指定し、
前記垂直オフセットシンタックス要素は、前記タイルセット中の前記タイルをカバーする前記最小矩形領域の前記左上ピクセルの垂直オフセットを指定し、
前記幅シンタックス要素は、前記タイルセット中の前記タイルをカバーする前記最小矩形領域の幅を指定し、
前記高さシンタックス要素は、前記タイルセット中の前記タイルをカバーする前記最小矩形領域の高さを指定する、と、
前記水平オフセットシンタックス要素と、前記垂直オフセットシンタックス要素と、前記幅シンタックス要素と、前記高さシンタックス要素とに基づいて、前記タイルセットを処理することと
を行うように構成する、命令を記憶した非一時的コンピュータ可読データ記憶媒体。